(57)【要約】【課題】上ケースのひさし部によって充電端子の保護を担う構造の充電器において、水などの液体が充電器内部に浸入することを防ぐ構造を有し、ひさし部を成形するための金型構造を簡素化することを実現することに寄与できる充電器を提供する。【解決手段】電池ボックスの底面部に設けられた穴部によって、上ケースひさし部を形成するための金型スライド構造を不要とし、穴部に係合する端子ホルダに設けられた筒部を利用し、水などの液体が充電器内部に侵入することを防ぐことを実現する。【選択図】図１
2008306856.tif 000002
【特許請求の範囲】
【請求項１】
上ケースのひさし部によって充電端子の保護を担う構造の充電器において、前記上ケースのひさし部に相対する上ケースの電池ボックス底面部に、前記上ケースのひさし部を形成するための穴を設け、端子ホルダＡの一部分は前記上ケースの電池ボックス底面に配設された穴を塞ぐ形状に構成し、端子ホルダＢは前記端子ホルダＡと係合する位置に配設されて充電端子を保持し、前記上ケースの電池ボックス部に配設された充電端子穴から浸入した液体を、端子ホルダＡを介して下ケースに排出したことを特徴とする充電器。
【発明の詳細な説明】
【技術分野】
【０００１】
本発明は携帯型電子機器等に電源を供給する充電器、及び、二次電池を充電するための充電器に関するものである。
【背景技術】
【０００２】
充電器は、パック電池や二次電池を装着して、パック電池等を充電し、脱着できるように電池ボックス部が設けられている。電池ボックス部にはパック電池等に設けた充電端子に対向する位置に端子窓を設けて、この接点窓に充電用の接点端子を露出させている。この接点端子がパック電池の充電端子に接続されて、二次電池が充電される。この充電器において、接点窓が開口しているケースは、使用状態において水や電解液がケース内に浸入することを完全には防げない。接点端子には、弾性的に変形する線材が用いられることが多く、その場合、ケースの開口部を小さくすることができない。この内容は特許文献１に記載されている。
【０００３】
更に、電池ボックス部に電池が誤った方向で装着された際、接点端子に無理な力がかかり変形に至る場合がある。これを防ぐために、接点端子の上方に接点端子を保護するためのひさしを設けられたものが知られている。
【特許文献１】特開平１０−０２１９６６号公報
【発明の開示】
【発明が解決しようとする課題】
【０００４】
しかしながら、上記前述した従来技術において、上ケース樹脂成形用金型にはスライド構造が必要なため、金型構造が複雑となり、金型作成費用が高価となり、また、成形品の生産数量も制限されるという課題があった。本発明はこのような課題を解決するためにのものであり、金型構造の単純化かつ金型作成費用を低減し、また、成形品の生産数量の増加を実現させる充電器を提供することを目的とする。
【課題を解決するための手段】
【０００５】
本発明は前述した課題を解決するために、上ケースのひさし部によって充電端子の保護を担う構造の充電器において、上ケースのひさし部に相対する上ケースの電池ボックス底面部に上ケースのひさし部を形成するための穴を配設する。端子ホルダAの一部分は上ケースの電池ボックス底面に配設された穴を塞ぐ形状に構成されて、液体が充電器の電気基板部に浸入することを防ぐように配設される。端子ホルダＢは端子ホルダＡと係合する位置に配設されて充電端子を保持し、上ケースの電池ボックス部に配設された充電端子穴から浸入した液体を、端子ホルダＡを介して下ケースに配設された水抜き穴へ導く形状を構成する。
【発明の効果】
【０００６】
本発明は前述した課題を解決するために、上ケースのひさし部によって充電端子の保護を担う構造の充電器において、電池ボックスの底面部に配設された穴部によって、上ケースのひさし部を成形するための金型構造としてのスライド構造が不要となり、金型作成費用を低減し、成形品の生産数量の増加を実現した充電器を提供することができる。
【発明を実施するための最良の形態】
【０００７】
以下、本発明の実施形態について、本発明の一例を図１から図５を参照しながら説明する。図１、２において、本発明の一例の充電器１０は、上ケース１１、下ケース１２、入力されたＡＣ商用電源から電池を充電するための電力を出力するための電気基板１３、電
池へ出力電力を供給するための充電端子１４、前記充電端子１４を保持するための端子ホルダＡ１５、及び、端子ホルダＢ１６が備えられる。
【０００８】
図３に示すように、前記充電器１０において、前記上ケース１１には充電する電池を装着するための電池ボックス２１が備えられ、前記電池ボックス２１の上面に前記充電端子１４を保護するためのひさし２２が配設される。前記電池ボックス２１の底面部には前記ひさし２２に相対する部分から前記電池ボックス２１の側面部に架かる位置に穴２３が配設される。
【０００９】
図４に示すように、前記下ケース１２には、液体を排出するための水抜き穴２４が配設される。
【００１０】
図５に示すように、前記端子ホルダＡ１５は前記穴２３を塞ぐ形状を成し、前記充電端子１４を前記電池ボックス２１に露出させるための充電端子穴３１を有する。前記端子ホルダＢ１６は、前記端子ホルダＡ１５と係合し、前記充電端子穴３１から浸入した液体を前記水抜き穴２４へ誘導するための筒部３２を有する。
【００１１】
前記上ケース１１に前記穴２３を配設することで、前記ひさし２２を形成するための金型構造としてスライド構造を採用せず、食い切り構造を採用することが可能となる。スライド構造を採用しないことにより、金型構造の簡略化が可能となり、金型作成費用の低減、及び、成形品の生産数量の増加を実現することを可能とする。
【００１２】
前記ひさし２２を形成するための目的であれば、前記穴２３の大きさを図３、及び、図５に示すものに限定するものではない。図３に示すように、前記充電端子１４を前記電池ボックス２１に露出させるための目的であれば、前記充電端子１４、及び、前記充電端子穴３１の数を限定するものではない。
【産業上の利用可能性】
【００１３】
本発明による充電器は、ひさし部を形成するための穴を電池ボックス底面部、及び、側面部に設け、端子ホルダの形状を穴を塞ぐ構造とすることで、液体が電気基板部へ浸入することを防ぐことを実現し、更に金型構造を簡略化することをも実現し、金型作成費用の低減、及び、成形品の生産数量を増加させることを可能とする充電器を提供することが出来る。
【図面の簡単な説明】
【００１４】
【図１】本発明の一例における充電器本体を示す斜視図
【図２】本発明の一例における充電器本体のＡ−Ａ断面図
【図３】本発明の一例における充電器本体の電池ボックス部を示す斜視図
【図４】本発明の一例における充電器本体の底面を示す斜視図
【図５】本発明の一例における端子ホルダを示す斜視図
【符号の説明】
【００１５】
１０  充電器
１１  上ケース
１２  下ケース
１３  電気基板
１４  充電端子
１５  端子ホルダＡ
１６  端子ホルダＢ
２１  電池ボックス
２２  ひさし
２３  穴
２４  水抜き穴
３１  充電端子穴
３２  筒部
【図１】
2008306856.tif 000003
【図２】
2008306856.tif 000004
【図３】
2008306856.tif 000005
【図４】
2008306856.tif 000006
【図５】
2008306856.tif 000007